(57)【特許請求の範囲】
【請求項１】
光コネクタの凸曲面状の接合端面を、清掃体の送り移動により拭き取り清掃する光コネクタ清掃工具であって、
前記清掃体の供給および巻き取りを行う送り機構がケース体に組み込まれた工具本体と、
コネクタ用位置決めハウジングのコネクタ収容穴に挿入される挿入部とを備え、
前記挿入部が、前記コネクタ収容穴に挿入される挿入筒体と、前記挿入筒体に挿通するヘッド部材とを有し、
前記工具本体には、前記ヘッド部材を前記挿入筒体に対し軸回り方向に回転させる回転機構が設けられ、
前記ヘッド部材は、前記清掃体を前記コネクタ収容穴内の前記接合端面に押し当てる押圧面を有し、
前記押圧面は、前記凸曲面状の接合端面に即し且つ清掃体の送り移動方向について凹形状となるように、中央部が後退した凹曲面状に形成されていることを特徴とする光コネクタ清掃工具。
【請求項２】
前記ヘッド部材には、前記清掃体を前記押圧面に導く開口部であるガイド部が形成されていることを特徴とする請求項１に記載の光コネクタ清掃工具。
【請求項３】
前記押圧面は、球面の一部をなす凹曲面状に形成されていることを特徴とする請求項１または２に記載の光コネクタ清掃工具。
【請求項４】
前記ヘッド部材の先端部は、本体部と、その先端に設けられた可動押当て部材とを有し、
前記可動押当て部材は、先端面が前記凹曲面状の押圧面であり、前記押圧面の向きを変化させるように前記本体部に対して傾動自在であることを特徴とする請求項１〜３のうちいずれか１項に記載の光コネクタ清掃工具。
【発明の詳細な説明】
【技術分野】
【０００１】
本発明は、コネクタ用位置決めハウジング内の光コネクタの接合端面を、清掃体の送り移動によって清掃する光コネクタ清掃工具に関する。
【背景技術】
【０００２】
アダプタやレセプタクルなどのコネクタ用位置決めハウジングに光コネクタを挿入して突き合わせ接続する際には、光コネクタの接合端面に汚れが付着していると、着脱時の損傷や伝送損失の増大などの原因になるため、突き合わせ接続に先だって、接合端面を清掃する必要がある。
光コネクタ清掃工具としては、光コネクタの接合端面に清掃体を接触させて清掃するものがある（例えば、特許文献１参照）。
【先行技術文献】
【特許文献】
【０００３】
【特許文献１】特開２００２−９０５７６号公報
【発明の概要】
【発明が解決しようとする課題】
【０００４】
光コネクタの接合端面は、凸曲面状に形成されている場合がある。
凸曲面状の接合端面は、その形状のため清掃体の接触が一部領域のみになってしまうことがあり、広い範囲に確実に清掃を施すことができる光コネクタ清掃工具が要望されていた。
本発明は、前記事情に鑑みてなされたもので、清掃対象となる光コネクタの接続端面が凸曲面状に形成されている場合でも、接合端面を確実に清掃できる光コネクタ清掃工具の提供を目的としている。
【課題を解決するための手段】
【０００５】
本発明は、光コネクタの凸曲面状の接合端面を、清掃体の送り移動により拭き取り清掃する光コネクタ清掃工具であって、前記清掃体の供給および巻き取りを行う送り機構がケース体に組み込まれた工具本体と、コネクタ用位置決めハウジングのコネクタ収容穴に挿入される挿入部とを備え、前記挿入部が、前記コネクタ収容穴に挿入される挿入筒体と、前記挿入筒体に挿通するヘッド部材とを有し、前記工具本体には、前記ヘッド部材を前記挿入筒体に対し軸回り方向に回転させる回転機構が設けられ、  前記ヘッド部材は、前記清掃体を前記コネクタ収容穴内の前記接合端面に押し当てる押圧面を有し、前記押圧面は、前記凸曲面状の接合端面に即した、中央部が後退した凹曲面状に形成されている光コネクタ清掃工具を提供する。
前記ヘッド部材には、前記清掃体を前記押圧面に導く開口部であるガイド部が形成されていることが好ましい。
前記押圧面は、球面の一部をなす凹曲面状に形成されていることが好ましい。
前記ヘッド部材の先端部は、本体部と、その先端に設けられた可動押当て部材とを有し、前記可動押当て部材は、先端面が前記凹曲面状の押圧面であり、前記押圧面の向きを変化させるように前記本体部に対して傾動自在であることが好ましい。
【発明の効果】
【０００６】
本発明は、光コネクタの凸曲面状の接合端面を、清掃体の送り移動により拭き取り清掃する光コネクタ清掃工具であって、前記清掃体の供給および巻き取りを行う送り機構がケース体に組み込まれた工具本体と、コネクタ用位置決めハウジングのコネクタ収容穴に挿入される挿入部とを備え、前記挿入部が、前記コネクタ収容穴に挿入される挿入筒体と、前記挿入筒体に挿通するヘッド部材とを有し、前記工具本体には、前記ヘッド部材を前記挿入筒体に対し軸回り方向に回転させる回転機構が設けられ、前記ヘッド部材は、前記清掃体を前記コネクタ収容穴内の前記接合端面に押し当てる押圧面を有し、前記押圧面は、前記凸曲面状の接合端面に即し且つ清掃体の送り移動方向について凹形状となるように、中央部が後退した凹曲面状に形成されている光コネクタ清掃工具を提供する。
前記ヘッド部材には、前記清掃体を前記押圧面に導く開口部であるガイド部が形成されていることが好ましい。
前記押圧面は、球面の一部をなす凹曲面状に形成されていることが好ましい。
前記ヘッド部材の先端部は、本体部と、その先端に設けられた可動押当て部材とを有し、前記可動押当て部材は、先端面が前記凹曲面状の押圧面であり、前記押圧面の向きを変化させるように前記本体部に対して傾動自在であることが好ましい。
【図面の簡単な説明】
【０００７】
【図１】本発明の光コネクタ清掃工具の第１の実施形態の斜視図である。
【図２】清掃工具の要部を拡大した斜視図である。
【図３】清掃工具の分解斜視図である。
【図４】支持体を示す斜視図である。
【図５】ヘッド部材を示す斜視図である。
【図６】ヘッド部材を示す側断面図である。
【図７】ヘッド部材を示す平面図である。
【図８】ヘッド部材を示す側面図である。
【図９】ヘッド部材の先端部分を示す断面図である。
【図１０】回転機構の回転シャフトを示す斜視図である。
【図１１】回転シャフトおよびその先端に取り付けられたヘッド部材を示す一部断面状態の平面図である。
【図１２】回転シャフトおよびその先端に取り付けられたヘッド部材を示す一部断面状態の側面図である。
【図１３】送り機構を示す分解斜視図である。
【図１４】光コネクタ清掃工具の使用方法を示す工程図である。
【図１５】前図に続く工程図である。
【図１６】前図に続く工程図である。
【図１７】ヘッド部材の動作を示す説明図である。
【図１８】ヘッド部材の動作を示す説明図である。
【図１９】回転シャフトの動作を示す説明図である。
【図２０】回転シャフトの動作を示す説明図である。
【図２１】使用方法を示す説明図である。
【図２２】本発明の光コネクタ清掃工具の第２の実施形態のヘッド部材を示す斜視図である。
【図２３】ヘッド部材を示す斜視図である。
【図２４】ヘッド部材を示す側断面図である。
【図２５】ヘッド部材を示す平面図である。
【図２６】ヘッド部材の動作を示す説明図である。
【図２７】ヘッド部材の動作を示す説明図である。
【図２８】本発明の光コネクタ清掃工具の第３の実施形態のヘッド部材の動作を示す説明図である。
【図２９】ヘッド部材の動作を示す説明図である。
【発明を実施するための形態】
【０００８】
以下、本発明を実施した光コネクタ清掃工具（以下、単に「清掃工具」ともいう）を、図面を参照して説明する。
まず、清掃工具１が適用される光コネクタプラグ６０（光コネクタ。以下、単に光プラグともいう）と、光コネクタアダプタ７０（コネクタ用位置決めハウジング。以下、単に光アダプタともいう）を説明する。
【０００９】
図２１に示すように、光プラグ６０は、フェルール６１（光フェルール）をスリーブ状のハウジング６２の先端部に収容した構成の光コネクタプラグである。
フェルール６１の接合端面６１ａの中央部には、光ファイバ穴６１ｂ（微細孔）が開口している。光ファイバ穴６１ｂには、光ファイバ６３が挿通しており、光ファイバ６３の先端は接合端面６１ａに露出している。
後述するように、接合端面６１ａは、凸曲面状に形成されている（図１７等を参照）。接合端面６１ａは、例えば、球面の一部をなす曲面形状とすることができる。接合端面６１ａの曲率半径は、例えば０．０５〜０．４６ｍｍとすることができる。
【００１０】
光ファイバ６３は、例えば光ファイバ心線の先端部の被覆樹脂を除去した光ファイバ裸線であり、光ファイバ６３は、これにより他の光コネクタと突き合わせ接続可能に成端されている。ここでは、円筒状のフェルール６１を例示する。フェルールとしては、周知の単心光フェルール、例えばＬＣ形フェルール、ＳＣ形フェルールなどが使用できる。
【００１１】
光アダプタ７０は、コネクタ収容穴７２を有するスリーブ状に形成されており、光プラグ６０をコネクタ収容穴７２内に挿入することができる。
光プラグ６０は、光アダプタ７０のコネクタ挿入口７１から挿入されると、挿入方向からずれた方向への変位を規制されつつ、コネクタ収容穴７２に収容される。
光アダプタ７０は、両端から２つの光プラグ６０が挿入されると、フェルール６１同士が突き合わされ、光ファイバ６３同士が光接続されるように構成されている。
符号７３は、光アダプタで一般的に用いられている位置決め用の割りスリーブを示す。
【００１２】
以下、清掃工具１の構造を説明する。
図１は、本発明の光コネクタ清掃工具の第１の実施形態である清掃工具１の斜視図である。図２は、清掃工具１の要部を拡大した斜視図である。図３は、清掃工具１の分解斜視図である。図４は、支持体５１を示す斜視図である。図５は、ヘッド部材２３を示す斜視図である。図６は、ヘッド部材２３を示す側断面図である。図７は、ヘッド部材２３を示す平面図である。図８は、ヘッド部材２３を示す側面図である。図９は、図６において２点鎖線で示すヘッド部材２３の先端部分を示す断面図である。図１０は、回転機構５の回転シャフト５２を示す斜視図である。図１１は、回転シャフト５２およびその先端に取り付けられたヘッド部材２３を示す一部断面状態の平面図である。図１２は、回転シャフト５２およびその先端に取り付けられたヘッド部材２３を示す一部断面状態の側面図である。図１３は、送り機構３を示す分解斜視図である。
【００１３】
図１〜図３に示すように、清掃工具１は、工具本体１０と、光アダプタ７０に挿入される挿入部２０とを備えている。なお、以下の説明において、図１に示すように、挿入部２０の先端方向（挿入方向）を前方といい、その反対方向を後方ということがある。
【００１４】
図１および図３に示すように、工具本体１０は、清掃体２の供給および巻き取りを行う送り機構３と、ヘッド部材２３を回転させる回転機構５とがケース体１１内に設けられている。
ケース体１１は、断面略矩形の筒状に形成され、４枚の側板部１１ａのうちひとつの後部には、位置決め凸部５７が挿入される位置決め開口部１２が形成されている。
位置決め開口部１２は、前後方向に沿うスリット状に形成されている。位置決め開口部１２の前部および後部の側縁には、位置決め凸部５７が嵌合する第１および第２嵌合凹部１３、１４が形成されている。
ケース体１１の前端には、挿入部２０が挿通する挿通口１１ｃが形成されている。
【００１５】
図３に示すように、回転機構５は、ケース体１１に対し位置決めされた支持体５１と、軸回りに回転可能な回転シャフト５２を備えている。
図４に示すように、支持体５１は、前後方向に沿う長板状の基板５３と、基板５３の前端部の内面５３ａから突出して形成された挿入凸部５４と、基板５３の両側縁部から内面５３ａ側に突出して形成された側板５５と、基板５３の後端縁部から内面５３ａ側に延出して形成された後端板５８とを備えている。
一方の側板５５には鋸歯状のギア受け部５６が形成されている。
ギア受け部５６は、一方の側板部５５に他方の側板５５に向けて突出して形成された複数の受け歯部５６ａからなる。受け歯部５６ａは、支持体５１の長さ方向（前後方向）に配列されている。
後端板５８の前面５８ａには保持凸部５９が形成されている。
【００１６】
挿入凸部５４は、略円筒状に形成され、その突出高さおよび外径は、回転筒部８２のカム溝８５に嵌合可能となるように設定されている。
基板５３の後部には板状の弾性片６５が形成され、弾性片６５の後端部の上面（外面）には位置決め凸部５７が上方（外方）に突出して形成されている（図３、図４参照）。
【００１７】
図３、図１０〜図１２に示すように、回転シャフト５２は、回転筒部８２と、回転筒部８２の前端から前方に延出するガイド筒部８１とを備えている。
回転シャフト５２内には、清掃体２が挿通する挿通孔８３が、ガイド筒部８１の前端から回転筒部８２の後端にわたって形成されている。
ガイド筒部８１は略円筒状に形成され、前端部において挿通孔８３にヘッド部材２３の挿入部９１を挿入できる。ガイド筒部８１の前端部の内面には、内面が平坦に形成された回転止部８４が形成されている。
【００１８】
図１０に示すように、回転筒部８２は略円筒状に形成され、その外面には、支持体５１の挿入凸部５４が挿入されるカム溝８５が形成されている。
カム溝８５は、前後方向にわたって、少なくとも一部が回転筒部８２の軸方向に対し傾斜して形成されている。このため、後述するように、回転シャフト５２が前後方向に移動すると、回転筒部８２がカム溝８５に沿って移動することによって、回転シャフト５２は軸回りに回転する。図示例では、カム溝８５は螺旋状に形成されている。
【００１９】
図５〜図９に示すように、ヘッド部材２３は、ガイド筒部８１の挿通孔８３に挿入可能な挿入部９１と、挿入部９１の前端に形成されたフランジ部９２と、フランジ部９２の前面から前方に延出する略円筒状の先端部２８とを備えている。
先端部２８の先端面は、清掃体２を接合端面６１ａに押し当てる押圧面２４である。
【００２０】
図５に示すように、押圧面２４には、清掃体２が挿通する開口部であるガイド口部２５Ａ、２５Ｂ（ガイド部）が形成されている。
一方のガイド口部２５Ａは、送り機構３からの清掃体２を押圧面２４に導くものであり、他方のガイド口部２５Ｂは、押圧面２４を通過した清掃体２を送り機構３に導くものである。ガイド口部２５Ａ、２５Ｂによって、清掃体２が押圧面２４から外れるのを防ぐことができる。
ガイド口部２５Ａ、２５Ｂは、押圧面２４の中心に対し、互いに回転対称となる位置に形成されているため、清掃体２が押圧面２４の中央部を通過する。
なお、図示例ではガイド口部２５Ａ、２５Ｂによって清掃体２の脱落を防ぐ構成が採用されているが、ガイド部は、清掃体２の脱落を防ぐことができる構造であればよく、例えば先端部２８の外側面に形成された溝部を清掃体２のガイド部として使用することもできる。
【００２１】
図９に示すように、押圧面２４は、凸曲面状に形成されたフェルール６１の接合端面６１ａに即した凹曲面状に形成されている。押圧面２４は、例えば、球面の一部をなす曲面形状とすることができる。
押圧面２４を凹曲面状に形成することによって、清掃体２を接合端面６１ａの広い範囲に押し当てることができるようになる。
図５および図６に示すように、先端部２８の側面には、清掃体２の送り移動をガイドするガイド溝２６Ａ、２６Ｂを形成するのが好ましい。ガイド溝２６Ａ、２６Ｂはフランジ部９２および挿入部９１の側面にも形成されている。
【００２２】
図１１および図１２に示すように、挿入部９１には、ガイド筒部８１に形成された回転止部８４に即した形状の平坦部９３が形成されており、平坦部９３が回転止部８４に沿って配置されるためヘッド部材２３はガイド筒部８１に対して回転しない。図示例では平坦部９３は挿入部９１の一方および他方の面に形成されている。
【００２３】
図５〜図８に示すように、挿入部９１の一方の平坦部９３の後部には開口部９３ａが形成され、その後縁には前方に延出する弾性片９３ｂが形成され、弾性片９３ｂの先端には、平坦部９３に対し突出する係合爪９３ｃが形成されている。
図１１および図１２に示すように、係合爪９３ｃは、ガイド筒部８１に形成された係合開口部８１ａ（係合凹部）の前縁に係止可能であり、係合爪９３ｃが係合開口部８１ａの前縁に係止することでヘッド部材２３の前方移動が規制され、ヘッド部材２３の脱落を防止できる。
【００２４】
図３、図５、図１１および図１２に示すように、ヘッド部材２３には、供給リール３０から引き出された清掃体２が巻き回されている。
図示例では、清掃体２は、工具本体１０内の供給リール３０から回転シャフト５２の挿通孔８３内を通り、ヘッド部材２３のガイド溝２６Ａ、ガイド口部２５Ａを通って押圧面２４に至り、ガイド口部２５Ｂ、ガイド溝２６Ｂを経て巻取リール３１に達している。
【００２５】
清掃体２は、特に限定されるものではなく、公知の適当な清浄布（不織布や織布）を糸状（または紐状）、テープ状などに加工したものを採用することができる。例えば、ポリエステルやナイロンなどの極細の繊維で構成されたものが例示できる。
【００２６】
図１１および図１２における符号９４は、ガイド筒部８１の前端とフランジ部９２との間に設けられた付勢手段（例えばコイルスプリング）である。付勢手段９４は、ヘッド部材２３を接合端面６１ａに押し当てたときにヘッド部材２３を前方に付勢する。
【００２７】
図１３に示すように、送り機構３は、清掃体２を巻装した供給リール３０と、使用後の清掃体２を巻き取って回収する巻取リール３１と、これらが回転可能に装着される支持部３５と、巻取リール３１に装着されるギア３８と、支持部３５に形成された保持筒部３９と、保持筒部３９に装着された付勢手段４０（例えばコイルスプリング）と、押さえ部３４とを備えている。
【００２８】
支持部３５は、基板４１と、基板４１の内面４１ａに設けられて供給リール３０が回転可能に装着される供給リール支持軸３２と、巻取リール３１が回転可能に装着される巻取リール支持軸３３と、基板４１の長さ方向中間部に形成された仕切板４２と、基板４１の後端部に形成された後端板４３と、基板４１の側縁部に形成された側板４４とを備えている。
【００２９】
基板４１には、リール３０、３１の径方向に対し垂直に延出する２つの延出板４５、４５が形成され、延出板４５、４５の先端には、それぞれリール３０、３１に向けて突出する係止爪４５ａ、４５ａが形成されている。延出板４５は弾性的に曲げ変形可能であり、係止爪４５ａはリール３０、３１に対し接近および離間する方向に移動可能である。
基板４１の前端には、主筒体１６が嵌合する切欠４１ｂが形成されている。
【００３０】
押さえ部３４は、リール３０、３１およびギア３８の脱落を防ぐためのもので、前後方向に延出する長板状の本体部３４ａの前端および後端に、リール支持軸３２、３３に嵌合可能な嵌合部３４ｂ、３４ｃが形成されている。
【００３１】
仕切板４２には、清掃体２が通過する通過凹部４２ａが形成されている。
供給リール３０および巻取リール３１は、清掃体２が巻き付けられる胴部４７と、胴部４７の一端に設けられた第１端板４８と、胴部４７の他端に設けられた第２端板４９とを備えている。
第１端板４８の外面には、周方向に沿って配列された複数の係止凹部（図示略）が形成されており、延出板４５の係止爪４５ａが前記係止凹部に係合することにより、リール３０、３１の逆方向回転が阻止される。第２端板４９の外面には、周方向に沿って配列された複数の係止凸部４９ａが形成されている。
リール３０、３１は、胴部４７に支持軸３２、３３を挿通させることによって支持部３５に装着される。
【００３２】
ギア３８は、円板状の基板８７と、基板８７の一方の面に形成された歯車部８８とを有する。基板８７の他方の面には、巻取リール３１の係止凸部４９ａに係止する係止突起８７ａが形成されている。
歯車部８８は、周方向に沿って配列された複数の歯部８８ａを有し、これら歯部８８ａは、支持体５１のギア受け部５６の受け歯部５６ａに噛み合うように形成されている。
ギア３８は、巻取リール３１の第２端板４９に重ねて設置される。基板８７の係止突起８７ａは第２端板４９の係止凸部４９ａに係止するため、ギア３８の回転に従って巻取リール３１も回転する。
係止突起８７ａは、ギア３８が巻き取り方向とは逆の方向に回転する場合には、係止凸部４９ａには係止しないように形成されている。
【００３３】
図１〜図３に示すように、挿入部２０は、光アダプタ７０のコネクタ収容穴７２（図２１参照）に挿入される挿入筒体２１と、挿入筒体２１に挿通するヘッド部材２３とを備えている。
挿入筒体２１は、筒体基部１５と、その先端側に設けられた主筒体１６とを備えている。
【００３４】
図１３に示すように、筒体基部１５は、保持枠部９７と、保持枠部９７の前端から前方に延出する円筒状の接続筒部９６とを備えている。
保持枠部９７は、断面矩形の筒状に形成され、その内部に回転シャフト５２の回転筒部８２を収容できる。
保持枠部９７を構成する４つの側板９９のうちひとつである側板９９ａには、前後方向に沿って、支持体５１の挿入凸部５４が挿入されるスリット１００が形成されている。
【００３５】
接続筒部９６は、回転シャフト５２のガイド筒部８１が挿通可能な略円筒状とされている。
接続筒部９６の外面には、主筒体１６に形成された係止開口部１６ａに嵌合する嵌合爪９６ａが形成されている。
主筒体１６は円筒状の太径部１６ｂと、その前端から前方に延出する細径部１６ｃとからなる。
【００３６】
図１に示すように、挿入部２０は、ケース体１１に対して、前後方向（伸縮方向）に移動可能である。
この図では、挿入部２０は比較的に後方に位置しているが、挿入部２０を前方に位置させることもできる。
【００３７】
図３に示すように、挿入部２０の先端には、キャップ１０２を装着できる。キャップ１０２は、スリーブ状（筒状）に形成されたガイド本体１０３と、ガイド本体１０３の一端にヒンジ１０５によって連結された蓋１０４とを有する。
ガイド本体１０３の蓋１０４側の一端には、光プラグ６０が挿入されるコネクタ挿入口１０６（プラグ挿入口）が開口しており、ここに光プラグ６０を挿入することにより、光プラグ６０の接合端面６１ａを、清掃体２によって拭き取り清掃できる。
キャップ１０２は、保持紐部１０７を介してケース体１１に接続されている。
【００３８】
次に、清掃工具１の使用方法の一例を説明する。
図１４および図１５に示すように、ケース体１１を把持して、挿入部２０の主筒体１６を光アダプタ７０のコネクタ挿入口７１から挿入すると、主筒体１６は、光アダプタ７０の内壁７０ａにより位置決めされながらコネクタ収容穴７２に進入する（図２１参照）。
図２１に示すように、押圧面２４上の清掃体２は、光プラグ６０の接合端面６１ａの適切な位置（ここでは、光ファイバ穴６１ｂとその周辺）に当接する。
図１７および図１８に示すように、押圧面２４は、凸曲面状のフェルール６１の接合端面６１ａに沿う凹曲面状とされているため、清掃体２が接合端面６１ａの広い範囲に押し当てられる。
【００３９】
図１６に示すように、ケース体１１を挿入方向に移動させると、挿入筒体２１の先端が光アダプタ７０の壁部７０ｂ等からの反力を受ける（図２１参照）。
図１９および図２０に示すように、挿入筒体２１がケース体１１に対して相対的に後方に移動するため、挿入筒体２１に押されて回転シャフト５２が支持体５１に対して相対的に後方に移動する。このため、回転筒部８２はカム溝８５に沿って周方向に移動し、回転シャフト５２は軸回りに回転する。
図２１に示すように、回転シャフト５２の回転によって、ヘッド部材２３が軸回りに回転するため、清掃体２は接合端面６１ａに当接した状態のままヘッド部材２３の軸回りに回転し、接合端面６１ａが拭き取り清掃される。
【００４０】
図３、図４および図１３に示すように、支持体５１が送り機構３に対し相対的に移動するため、ギア受け部５６によって、ギア３８の歯車部８８に回転方向の力が与えられる。ギア３８の回転によって、巻取リール３１も回転するため、清掃体２が巻き取られる。
これに伴って、清掃体２が供給リール３０から引き出され、ヘッド部材２３の押圧面２４を通って送り移動される。
清掃体２の送り移動によって、接合端面６１ａに付着しているゴミや埃、油分などの汚れが確実に拭き取られる。
挿入部２０を光アダプタ７０から引き抜く際には、挿入部２０は、付勢手段４０の弾性力によってケース体１１に対して相対的に前方（すなわち伸長方向）に移動する。
【００４１】
清掃工具１では、押圧面２４が、凸曲面状のフェルール６１の接合端面６１ａに沿う凹曲面状とされているため、清掃体２が接合端面６１ａの広い範囲に押し当てられる。
従って、接合端面６１ａを広い範囲にわたって確実に清掃することができる。
【００４２】
次に、本発明の光コネクタ清掃工具の第２の実施形態について説明する。
図２２は、第２の実施形態の光コネクタ清掃工具に用いられるヘッド部材１２３を示す斜視図である。図２３は、ヘッド部材１２３を示す断面図である。図２４は、ヘッド部材１２３を示す平面図である。図２５は、ヘッド部材１２３を示す側面図である。図２６は、図２３において２点鎖線で示すヘッド部材１２３の先端部分を示す断面図である。
【００４３】
この光コネクタ清掃工具は、ヘッド部材１２３以外は図１に示す清掃工具１と同じ構成である。
図２２〜図２６に示すように、ヘッド部材１２３の先端部１２８は、円筒形の本体部１２７と、その先端に設けられた円板状の先端板部１２９とを有する。
先端板部１２９は、本体部１２７の軸方向に対しほぼ垂直に設けられ、中央部が厚さ方向に移動するように曲げ変形可能に形成されている。
先端板部１２９は、その周縁部の２箇所で連結部１３０を介して本体部１２７に連結されており、上記厚さ方向の曲げ変形が可能となっている。先端板部１２９は空間部１３１により本体部１２７から隔てられているため、上記曲げ変形が許容されている。
図２６に示すように、先端板部１２９には、清掃体２が挿通する開口部であるガイド口部２５Ａ、２５Ｂが形成されている。
ヘッド部材１２３は、先端板部１２９の曲げ変形が可能となる材料、例えば合成樹脂材料で形成できる。
【００４４】
図２６に示す通常状態では、先端板部１２９は変形しておらず、平板状である。
清掃体２は、供給リール３０からガイド溝２６Ａ、ガイド口部２５Ａを通って先端板部１２９の前面（先端面）である押圧面１２４に至り、ガイド口部２５Ｂ、ガイド溝２６Ｂを経て巻取リール３１に達している。
【００４５】
図２７に示すように、挿入部２０の主筒体１６を光アダプタ７０のコネクタ収容穴７２に挿入し（図１４および図１５参照）、押圧面１２４上の清掃体２を、光プラグ６０の接合端面６１ａに当接させると、先端板部１２９は、接合端面６１ａに押圧されることによって中央部が後退する方向に曲げ変形し、接合端面６１ａに沿う凹曲面状となる。このため、清掃体２が接合端面６１ａの広い範囲に押し当てられる。
従って、接合端面６１ａを広い範囲にわたって確実に清掃することができる。
【００４６】
次に、本発明の光コネクタ清掃工具の第３の実施形態について説明する。
図２８は、第３の実施形態の光コネクタ清掃工具に用いられるヘッド部材１３３を示す断面図である。
この光コネクタ清掃工具は、ヘッド部材１３３以外は図１に示す清掃工具１と同じ構成である。
ヘッド部材１３３の先端部１３８は、円筒形の本体部１３７と、その先端に設けられた可動押当て部材１３９とを有する。
可動押当て部材１３９は、清掃体２を接合端面６１ａに押し当てるためのもので、ゴムなどからなり、円板状の押当て部１４１と、その後面から押当て部１４１に対し垂直に延出する支持部１４２とを有する。
押当て部１４１の前面（先端面）である押圧面１３４は、フェルール６１の接合端面６１ａに即した凹曲面状に形成されている。
可動押当て部材１３９は、軸部１４３において本体部１３７に回動自在に取り付けられており、回動によって押圧面１３４の向きを変えることができる。
【００４７】
清掃体２は、供給リール３０からガイド溝２６Ａ、ガイド口部２５Ａを通って押当て部１４１の押圧面１３４に至り、ガイド口部２５Ｂ、ガイド溝２６Ｂを経て巻取リール３１に達している。
【００４８】
図２８および図２９に示す例では、接合端面６１ａは、いわゆる斜め研磨（例えばＡＰＣ研磨（Angled Physical Contact））されており、接合端面６１ａは傾斜して形成されている。
図２９に示すように、挿入部２０の主筒体１６を光アダプタ７０のコネクタ収容穴７２に挿入し、押圧面１３４上の清掃体２を、光プラグ６０の接合端面６１ａに当接させる。
可動押当て部材１３９は回動可能であるため、接合端面６１ａの傾斜に合わせて傾動し、押圧面１３４は接合端面６１ａに即した向きになる。
押圧面１３４は、接合端面６１ａに沿う凹曲面状とされているため、清掃体２が接合端面６１ａの広い範囲に押し当てられる。
従って、接合端面６１ａを広い範囲にわたって確実に清掃することができる。
【００４９】
本発明は、種々のタイプの光ファイバコネクタに適用することができ、例えば、ＬＣ形光コネクタ（ルーセント社商標）、ＪＩＳ  Ｃ  ５９７３に制定されるＳＣ形光コネクタ（ＳＣ：Ｓｉｎｇｌｅ  ｆｉｂｅｒ  Ｃｏｕｐｌｉｎｇ  ｏｐｔｉｃａｌ  ｆｉｂｅｒ  ｃｏｎｎｅｃｔｏｒ）、ＪＩＳ  Ｃ  ５９８３に制定されるＭＵ形光コネクタ（ＭＵ：ＭｉｎｉａｔｕｒｅーＵｎｉｔ  ｃｏｕｐｌｉｎｇ  ｏｐｔｉｃａｌ  ｆｉｂｅｒ  ｃｏｎｎｅｃｔｏｒ）、ＳＣ２形光コネクタ等の単心光コネクタに適用することができる。ＳＣ２形光コネクタとは、ＳＣ形光コネクタから、ハウジングの外側に装着されるつまみを省略したものである。
【００５０】
図示例では、光アダプタ７０および光プラグ６０を対象としたが、本発明の清掃工具の対象はこれに限定されず、光コネクタレセプタクル（詳細には、レセプタクルハウジング）を、コネクタ用位置決めハウジングとして機能させた構成も採用可能である。
この場合には、スリーブ状のレセプタクルハウジング内に組み込まれたフェルールが本発明に係る光コネクタとして機能する。レセプタクルハウジングの内側空間であるコネクタ収容穴に清掃工具の挿入部を挿入することで、フェルールの接合端面を清掃できる。
【符号の説明】
【００５１】
１・・・光コネクタ清掃工具、２・・・清掃体、３・・・送り機構、１０・・・工具本体、１１・・・ケース体、２０・・・挿入部、２１・・・挿入筒体、２３・・・ヘッド部材、２４、１２４、１３４・・・押圧面、６０・・・光プラグ（光コネクタ）、６１ａ・・・接合端面、７０・・・光アダプタ、７２・・・コネクタ収容穴、１２７、１３７・・・本体部、１２９・・・先端板部、１３８・・・先端部、１３９・・・可動押当て部材。
【図１】
0005466899.tif 000002
【図２】
0005466899.tif 000003
【図３】
0005466899.tif 000004
【図４】
0005466899.tif 000005
【図５】
0005466899.tif 000006
【図６】
0005466899.tif 000007
【図７】
0005466899.tif 000008
【図８】
0005466899.tif 000009
【図９】
0005466899.tif 000010
【図１０】
0005466899.tif 000011
【図１１】
0005466899.tif 000012
【図１２】
0005466899.tif 000013
【図１３】
0005466899.tif 000014
【図１４】
0005466899.tif 000015
【図１５】
0005466899.tif 000016
【図１６】
0005466899.tif 000017
【図１７】
0005466899.tif 000018
【図１８】
0005466899.tif 000019
【図１９】
0005466899.tif 000020
【図２０】
0005466899.tif 000021
【図２１】
0005466899.tif 000022
【図２２】
0005466899.tif 000023
【図２３】
0005466899.tif 000024
【図２４】
0005466899.tif 000025
【図２５】
0005466899.tif 000026
【図２６】
0005466899.tif 000027
【図２７】
0005466899.tif 000028
【図２８】
0005466899.tif 000029
【図２９】
0005466899.tif 000030